(57)【特許請求の範囲】
【請求項１】
間仕切によって複数の仕切領域に区画することの可能な領域を監視領域とし、この監視領域の平面図をディスプレイに表示するとともに、この監視領域の平面図中に監視対象の情報を表示する監視画面表示装置において、
前記間仕切の設置状態を示す第１の表示シンボルと非設置状態を示す第２の表示シンボルとを記憶するシンボル記憶手段と、
前記間仕切を設置することが可能な場所への現在の間仕切の設置および非設置状態を間仕切設置情報として記憶する間仕切設置情報記憶手段と、
前記間仕切設置情報に基づいて、前記ディスプレイに表示されている監視領域の平面図中に、間仕切が設置されている間仕切設置可能場所には前記第１の表示シンボルを、間仕切が設置されていない間仕切設置可能場所には前記第２の表示シンボルを表示するシンボル表示手段と、
前記間仕切設置情報に基づいて現在の仕切領域を認識し、この認識した仕切領域毎にその仕切領域に属する監視対象を定義する監視対象定義手段と
を備えたことを特徴とする監視画面表示装置。
【請求項２】
請求項１に記載された監視画面表示装置において、
前記間仕切を設置することが可能な場所への現在の間仕切の設置および非設置状態を検出する間仕切設置状態検出手段を備え、
前記間仕切設置情報記憶手段は、前記間仕切設置状態検出手段により検出された間仕切設置可能場所への現在の間仕切の設置および非設置状態を前記間仕切設置情報として記憶する
ことを特徴とする監視画面表示装置。
【請求項３】
間仕切によって複数の仕切領域に区画することの可能な領域を監視領域とし、この監視領域の平面図をディスプレイに表示するとともに、この監視領域の平面図中に監視対象の情報を表示する監視画面表示方法において、
前記間仕切の設置状態を示す第１の表示シンボルと非設置状態を示す第２の表示シンボルとを定義し、
前記間仕切を設置することが可能な場所への現在の間仕切の設置および非設置状態を間仕切設置情報として記憶し、
前記間仕切設置情報に基づいて、前記ディスプレイに表示されている監視領域の平面図中に、間仕切が設置されている間仕切設置可能場所には前記第１の表示シンボルを、間仕切が設置されていない間仕切設置可能場所には前記第２の表示シンボルを表示するようにし、
前記間仕切設置情報に基づいて現在の仕切領域を認識し、
この認識した仕切領域毎にその仕切領域に属する監視対象を定義するようにした
ことを特徴とする監視画面表示方法。
【請求項４】
請求項３に記載された監視画面表示方法において、
前記間仕切を設置することが可能な場所への現在の間仕切の設置および非設置状態を検出し、
この検出された間仕切設置可能場所への現在の間仕切の設置および非設置状態を前記間仕切設置情報として記憶するようにした
ことを特徴とする監視画面表示方法。
【発明の詳細な説明】
【０００１】
【発明の属する技術分野】
この発明は、フロア等の監視領域の平面図をディスプレイに表示するとともに、この監視領域の平面図中に監視対象の情報を表示する監視画面表示装置および監視画面表示方法に関するものである。
【０００２】
【従来の技術】
従来、インテリジェントビルにおいては、各フロアーの各区画に契約テナントが入居しており、テナントに合わせて間仕切変更が簡単に行える仕組みになっている。
【０００３】
図９（ａ）に例えば１階フロアにおける間仕切の設置状況を示す。この１階フロア１には、間仕切を設置することが可能な場所（間仕切設置可能場所）としてＰ１，Ｐ２，Ｐ３，Ｐ４が設けられており、Ｐ１，Ｐ２，Ｐ３，Ｐ４に間仕切２を設置することによって６つの仕切領域＃１〜＃６に区画することが可能とされている。以下、この仕切領域＃１〜＃６を後述する部屋と区別するために、最小区画領域と呼ぶ。
【０００４】
この例では間仕切設置可能場所Ｐ２，Ｐ３に間仕切２−１，２−２が設置されており、この間仕切２−１，２−２の設置によって、１階フロア１が仕切領域Ｈ１（部屋▲１▼），Ｈ２（部屋▲２▼），Ｈ３（部屋▲３▼），Ｈ４（部屋▲４▼）に区画されている。部屋▲１▼は最小区画領域＃１と＃２とから構成され、部屋▲２▼は最小区画領域＃３から構成され、部屋▲３▼は最小区画領域＃４から構成され、部屋▲４▼は最小区画領域＃５と＃６とから構成されている。
【０００５】
ここで、例えば間仕切設置可能場所Ｐ２の間仕切２−１を取り払えば、図９（ｂ）に示すように、最小区画領域＃１，＃２，＃３を部屋▲１▼とすることができる。また、間仕切設置可能場所Ｐ３の間仕切２−２を間仕切設置可能場所Ｐ４に移せば、最小区画領域＃４と＃５とを部屋▲２▼とし、最小区画領域＃６を部屋▲３▼とすることができる。
【０００６】
一方、ビル内の各フロアには、空調設備，照明設備，防犯設備などが設けられており、これら設備の情報が各コントローラを経由し、通信回線を介して中央監視室内の中央監視装置へ与えられ、中央監視装置において空調管理，照明管理，入退室管理などの監視および管理が行われている。
【０００７】
通常、中央監視装置のディスプレイには、ビル内の各フロアの平面図が表示され、各設備の配置や居住区内の警報状態などの監視対象の情報が表示される。例えば、図９（ａ）に示した１階フロア１についていえば、この１階フロア１の平面図が中央監視装置のディスプレイに表示され、この１階フロア１の平面図中に各設備の配置や部屋▲１▼〜▲４▼における警報状態などの監視対象の情報が表示される。
【０００８】
すなわち、中央監視装置は、予め用意された１階フロア１の平面図を読み出してディスプレイに表示するとともに、部屋▲１▼〜▲４▼に属する監視対象として定義された管理ポイントからのデータを処理し、その処理データを１階フロア１の平面図中に部屋▲１▼〜▲４▼における監視対象の情報として表示する。
【０００９】
【発明が解決しようとする課題】
このような監視システムでは、テナントの移動などによって間仕切変更がある場合、そのフロアの平面図の変更、間仕切の変更に伴う各部屋に属する監視対象の定義の変更などの作業が発生する。従来、これらの作業は、専用のソフトウェアツールを使用して、専門知識をもったエンジニアが行っていた。
【００１０】
例えば、１階フロア１の最小区画領域＃１に、カードリーダ３−１（カードリーダ▲１▼）や電気錠４−１（電気錠▲１▼），侵入センサ５−１（侵入センサ▲１▼）が設けられ、同様にして、最小区画領域＃２〜＃６にも、カードリーダ３−２〜３−６（カードリーダ▲２▼〜▲６▼）や電気錠４−２〜４−６（電気錠▲２▼〜▲６▼），侵入センサ５−２〜５−６（侵入センサ▲２▼〜▲６▼）が設けられていたとする。
【００１１】
この場合、間仕切変更前は、図１０（ａ）に示すように、部屋▲１▼に属する監視対象としてカードリーダ▲１▼，▲２▼、電気錠▲１▼，▲２▼、侵入センサ▲１▼，▲２▼が定義され、部屋▲２▼に属する監視対象としてカードリーダ▲３▼，電気錠▲３▼，侵入センサ▲３▼が定義され、部屋▲３▼に属する監視対象としてカードリーダ▲４▼，電気錠▲４▼，侵入センサ▲４▼が定義され、部屋▲４▼に属する監視対象としてカードリーダ▲５▼，▲６▼、電気錠▲５▼，▲６▼、侵入センサ▲５▼，▲６▼が定義されている。また、図９（ａ）に示すように、１階フロア１の平面図は、間仕切設置可能場所Ｐ２に間仕切２−１を示す線が描かれるものとして、また間仕切設置可能場所Ｐ３に間仕切２−２を示す線が描かれるものとして作成されている。
【００１２】
これに対して、図９（ｂ）に示すような間仕切変更が発生すると、専門知識をもったエンジニアの作業により、１階フロア１の平面図を変更する（１階フロア１の平面図中、間仕切設置可能場所Ｐ２から間仕切２−１を取り除き、間仕切設置可能場所Ｐ３の間仕切２−２を間仕切設置可能場所Ｐ４へ移す）。また、図１０（ｂ）に示すように、部屋▲１▼に属する監視対象としてカードリーダ▲１▼，▲２▼，▲３▼、電気錠▲１▼，▲２▼，▲３▼、侵入センサ▲１▼，▲２▼，▲３▼を定義し、部屋▲２▼に属する監視対象としてカードリーダ▲４▼，▲５▼，電気錠▲４▼，▲５▼，侵入センサ▲４▼，▲５▼を定義し、部屋▲３▼に属する監視対象としてカードリーダ▲６▼，電気錠▲６▼，侵入センサ▲６▼を定義する。
【００１３】
このように、従来の監視システムでは、間仕切を変更する度に、専門知識をもったエンジニアへ作業を依頼しており、メンテナンスの手間と時間がかかり、費用もかかっていた。また、作業は、監視業務を一旦中止して行うため、その間監視業務を行うことができない等の問題もあった。
【００１４】
本発明はこのような課題を解決するためになされたもので、その目的とするところは、間仕切変更に際し、専門知識をもったエンジニアへの作業依頼を不要とすることの可能な、また監視業務を中断する必要のない監視画面表示装置および監視画面表示方法を提供することにある。
【００１５】
【課題を解決するための手段】
このような目的を達成するために本発明は、間仕切の設置状態を示す第１の表示シンボルと非設置状態を示す第２の表示シンボルとを記憶するシンボル記憶手段と、間仕切を設置することが可能な場所への現在の間仕切の設置および非設置状態を間仕切設置情報として記憶する間仕切設置情報記憶手段と、間仕切設置情報に基づいて、ディスプレイに表示されている監視領域の平面図中に、間仕切が設置されている間仕切設置可能場所には第１の表示シンボルを、間仕切が設置されていない間仕切設置可能場所には第２の表示シンボルを表示するシンボル表示手段と、間仕切設置情報に基づいて現在の仕切領域を認識し、この認識した仕切領域毎にその仕切領域に属する監視対象を定義する監視対象定義手段とを設けたものである。
【００１６】
この発明によれば、間仕切変更によって間仕切の設置および非設置状態が変わると、この間仕切の設置および非設置状態がディスプレイに表示されている監視領域の平面図中に反映される。すなわち、間仕切が取り払われると、それまで表示されていた第１の表示シンボル（設置状態を示す表示シンボル）が第２の表示シンボル（非設置状態を示す表示シンボル）に変わり、間仕切が設置されると、それまで表示されていた第２の表示シンボル（非設置状態を示す表示シンボル）が第１の表示シンボル（設置状態を示す表示シンボル）に変わる。また、間仕切変更によって現在の間仕切の設置および非設置状態が変わると、すなわち仕切領域が変更されると、その仕切領域に属する監視対象の定義が自動的に変更される。
【００１７】
なお、監視領域における現在の間仕切の設置および非設置状態は、実際の間仕切の設置状況を見てオペレータが間仕切設置情報として与えるようにしてもよいが、例えば間仕切を設置することが可能な各場所にセンサを配置し、この各場所に設置したセンサが検出する間仕切の設置および非設置状態を間仕切設置情報として与えるようにしてもよい。
【００１８】
【発明の実施の形態】
以下、本発明を図面に基づいて詳細に説明する。図１は本発明に係る監視画面表示装置の一実施の形態を示す中央監視装置の要部のブロック図である。同図において、１０−１は制御部、１０−２はＲＡＭやＲＯＭなどのメモリ、１０−３はデータ処理部、１０−４は表示部（ディスプレイ）、１０−５は間仕切設置情報記憶部、１０−６は定義ファイル記憶部、１０−７は通信制御部である。
【００１９】
制御部１０−１は、ビル内の各フロアの空調設備，照明設備，防犯設備などからのデータを通信制御部１０−７を介して取得し、メモリ１０−２に格納されたプログラムに従い、データ処理部１０−３やメモリ１０−２，定義ファイル記憶部１０−６，間仕切設置情報記憶部１０−５にアクセスしながら、処理情報をディスプレイ１０−４に表示し、空調管理，照明管理，入退室管理などの監視および管理を行う。
【００２０】
定義ファイル記憶部１０−６には、間仕切の設置状態を示す表示シンボル（第１の表示シンボル）と非設置状態を示す表示シンボル（第２の表示シンボル）とが定義された表示シンボル定義ファイルＦ１と、間仕切設置可能場所への間仕切の設置および非設置状態によって変更される部屋毎にその部屋に属する監視対象が自動的に定義し直される監視対象定義ファイルＦ２とが設けられている。間仕切設置情報記憶部１０−５には間仕切設置可能場所への現在の間仕切の設置および非設置状態が間仕切設置情報として記憶される。メモリ１０−２には、上述したプログラムの他、ビル内の各フロアの平面図、各フロアにおける設備情報などが格納されている。
【００２１】
〔１階フロア：間仕切変更前〕
例えば、今、１階フロア１における間仕切の設置状況が図２（ａ）に示すような状態にあるものとする。この場合、１階フロア１には、間仕切設置可能場所としてＰ１，Ｐ２，Ｐ３，Ｐ４の４つがある。また、間仕切設置可能場所Ｐ２，Ｐ３に間仕切２−１，２−２が設置されていることにより、４つの仕切領域Ｈ１，Ｈ２，Ｈ３，Ｈ４（部屋▲１▼，▲２▼，▲３▼，▲４▼）に区画されている。また、間仕切設置可能場所Ｐ１，Ｐ２，Ｐ３，Ｐ４には、間仕切２の設置および非設置状態を検出するセンサＳ１，Ｓ２，Ｓ３，Ｓ４が配置されている。
【００２２】
この１階フロア１に対して、本実施の形態では、図３に示されるような表示シンボル定義ファイルＦ１と、図５（ａ）に示されるような監視対象定義ファイルＦ２とが定義ファイル記憶部１０−６に設けられている。
【００２３】
表示シンボル定義ファイルＦ１には、間仕切設置可能場所Ｐ１，Ｐ２，Ｐ３，Ｐ４に対応づけて、間仕切の設置状態を示す表示シンボルＡ（縦に長い線）と間仕切の非設置状態を示す表示シンボルＢ（縦に短い線）とが定義されている。
【００２４】
監視対象定義ファイルＦ２には、部屋▲１▼に属する監視対象としてカードリーダ▲１▼，▲２▼、電気錠▲１▼，▲２▼、侵入センサ▲１▼，▲２▼が、部屋▲２▼に属する監視対象としてカードリーダ▲３▼，電気錠▲３▼，侵入センサ▲３▼が、部屋▲３▼に属する監視対象としてカードリーダ▲４▼，電気錠▲４▼，侵入センサ▲４▼が、部屋▲４▼に属する監視対象としてカードリーダ▲５▼，▲６▼、電気錠▲５▼，▲６▼、侵入センサ▲５▼，▲６▼が定義されている。
【００２５】
間仕切設置情報記憶部１０−５には、センサＳ１〜Ｓ４からの検出信号に基づき、１階フロア１における間仕切設置可能場所Ｐ１〜Ｐ４への現在の間仕切の設置および非設置状態が間仕切設置情報として記憶される（図４（ａ）参照）。
【００２６】
制御部１０−１は、メモリ１０−２から１階フロア１の平面図を読み出し、この読み出した１階フロア１の平面図をディスプレイ１０−４に表示する（図６（ａ）参照）。また、制御部１０−１は、１階フロア１の平面図中に、各設備の配置や部屋▲１▼〜▲４▼における警報状態などの監視対象の情報を表示する。この監視対象の情報の表示に際しては、定義ファイル記憶部１０−６に格納されている監視対象定義ファイルＦ２を利用する。
【００２７】
また、制御部１０−１は、間仕切設置情報記憶部１０−５に記憶されている間仕切設置情報に基づき、定義ファイル記憶部１０−６に格納されている表示シンボル定義ファイルＦ１を参照とし、間仕切２が設置されていない間仕切設置可能場所Ｐ１，Ｐ４にはその場所に対応して表示シンボルＢを、間仕切２が設置されている間仕切設置可能場所Ｐ２，Ｐ３にはその場所に対応して表示シンボルＡを表示する（図６（ａ）参照）。
【００２８】
〔１階フロア：間仕切変更後〕
図２（ａ）に示された状態から図２（ｂ）に示される状態への間仕切変更が発生したとする。すなわち、テナントの入れ替えなどにより、間仕切設置可能場所Ｐ２から間仕切２−１を取り払い、間仕切設置可能場所Ｐ３の間仕切２−２を間仕切設置可能場所Ｐ４へ移すという間仕切変更が発生したとする。この間仕切変更後は、最小区画領域＃１と＃２と＃３とにより部屋▲１▼が構成され、最小区画領域＃４と＃５とにより部屋▲２▼が構成され、最小区画領域＃６により部屋▲３▼が構成される。
【００２９】
この場合、センサＳ１，Ｓ２，Ｓ３がＯＦＦ、センサＳ４がＯＮとされ、間仕切設置情報記憶部１０−５における間仕切設置情報は図４（ａ）に示された状態から図４（ｂ）に示されるような状態に変わる。この変更された間仕切設置情報に基づき、制御部１０−１は、定義ファイル記憶部１０−６に格納されている表示シンボル定義ファイルＦ１を参照とし、間仕切２が設置されていない間仕切設置可能場所Ｐ１，Ｐ２，Ｐ３にはその場所に対応して表示シンボルＢを、間仕切２が設置されている間仕切設置可能場所Ｐ４にはその場所に対応して表示シンボルＡを表示する（図６（ｂ）参照）。
【００３０】
すなわち、図２（ａ）に示された状態から図２（ｂ）に示される状態への間仕切変更が発生すると、ディスプレイ１０−４に表示されている１階フロア１の平面図中では、自動的に、間仕切設置可能場所Ｐ２，Ｐ３に表示されていた表示シンボルＡが表示シンボルＢに変わり、間仕切設置可能場所Ｐ４に表示されていた表示シンボルＢが表示シンボルＡに変わる。
【００３１】
また、制御部１０−１は、変更された間仕切設置情報に基づいて現在の仕切領域を認識し、この認識した仕切領域毎にその仕切領域に属する監視対象を定義する。すなわち、制御部１０−１は、変更された間仕切設置情報（図４（ｂ））により、部屋▲１▼が最小区画領域＃１と＃２と＃３とにより、部屋▲２▼が最小区画領域＃４と＃５とにより、部屋▲３▼が最小区画領域＃６により構成されていることを認識し、定義ファイル記憶部１０−６における監視対象定義ファイルＦ２の定義内容を変更する。
【００３２】
この場合、図５（ｂ）に示すように、部屋▲１▼に属する監視対象としてカードリーダ▲１▼，▲２▼，▲３▼、電気錠▲１▼，▲２▼，▲３▼、侵入センサ▲１▼，▲２▼，▲３▼を定義し、部屋▲２▼に属する監視対象としてカードリーダ▲４▼，▲５▼，電気錠▲４▼，▲５▼，侵入センサ▲４▼，▲５▼を定義し、部屋▲３▼に属する監視対象としてカードリーダ▲６▼，電気錠▲６▼，侵入センサ▲６▼を定義する。制御部１０−１は、この変更した監視対象定義ファイルＦ２を利用して、１階フロア１の平面図（図６（ｂ））中に、各設備の配置や部屋▲１▼，▲２▼，▲３▼における警報状態などの監視対象の情報を表示する。
【００３３】
このように、本実施の形態では、間仕切設置可能場所Ｐ１〜Ｐ４への現在の間仕切２の設置および非設置状態に応じ、ディスプレイ１０−４に表示されている１階フロア１の平面図のレイアウトが動画のようにリアルタイムで変化するので、また定義ファイル記憶部１０−６における監視対象定義ファイルＦ２が自動的に変更されるので、間仕切変更の度に専門知識をもったエンジニアへ作業を依頼する必要がなくなり、メンテナンス工数を大幅に削減することができるようになる。また、本実施の形態では、１階フロア１の平面図のレイアウトの変更や監視対象定義ファイルＦ２の変更がオンラインで行われるので、監視業務を中断する必要もない。
【００３４】
なお、上述した実施の形態では、１階フロアを例にとって説明したが、他のフロアについても同様にしてオンラインでレイアウトの変更や監視対象定義ファイルの変更が行われることは言うまでもない。
また、上述した実施の形態では、間仕切設置可能場所Ｐ２から間仕切２−１を取り払い、間仕切設置可能場所Ｐ３の間仕切２−２を間仕切設置可能場所Ｐ４へ移すという間仕切変更が発生した場合について説明したが、他のパターンの間仕切変更に対しても同様の処理がオンラインで行われる。
【００３５】
図７に他のパターンの間仕切変更に際して変更される監視対象定義ファイルＦ２を例示する。図７（ａ）は間仕切設置可能場所Ｐ１〜Ｐ４への間仕切２を全て取り外した場合、図７（ｂ）は間仕切設置可能場所Ｐ１にのみ間仕切２を設置した場合、図７（ｃ）は間仕切設置可能場所Ｐ２にのみ間仕切２を設置した場合、図７（ｄ）は間仕切設置可能場所Ｐ３にのみ間仕切２を設置した場合、図７（ｅ）は間仕切設置可能場所Ｐ４にのみ間仕切２を設置した場合を示している。
【００３６】
また、上述した実施の形態では、間仕切設置可能場所Ｐ１〜Ｐ４へセンサＳ１〜Ｓ４を設けたが、実際の間仕切の設置状況を見てオペレータが間仕切設置情報として与えるようにしてもよい。
また、上述した実施の形態では、間仕切設置可能場所Ｐ１〜Ｐ４のそれぞれについて表示シンボルＡおよびＢを定義したが、間仕切設置可能場所Ｐ１〜Ｐ４の全体に対して表示シンボルＡおよびＢを定義するようにしてもよい。
【００３７】
また、例えば、増改築情報として図８（ｃ）に示すようなデータを定義しておき、増改築情報がＯＮとなった場合に、定義されている増改築のレイアウト形状を表示するようにしてもよい（図８（ａ）→図８（ｂ））。
【００３８】
【発明の効果】
以上説明したことから明らかなように本発明によれば、間仕切設置可能場所への現在の間仕切の設置および非設置状態に応じ、ディスプレイに表示されている監視領域の平面図のレイアウトをリアルタイムで動画のように変化させることが可能となり、専門知識をもったエンジニアへの作業依頼を不要とし、間仕切変更に伴うエンジニアリング作業やメンテナンス工数を大幅に削減することが可能となる。さらに、間仕切設置可能場所への現在の間仕切の設置および非設置状態に応じ、変更された仕切領域に属する監視対象の定義を自動的に変更することが可能となり、監視業務を中断することなく、間仕切変更に必要な作業をオンラインで行わせることが可能となる。
【図面の簡単な説明】
【図１】  本発明に係る監視画面表示装置の一実施の形態を示す中央監視装置の要部のブロック図である。
【図２】  １階フロアにおける間仕切変更前および変更後の間仕切設置状況を示す平面図である。
【図３】  定義ファイル記憶部に記憶されている表示シンボル定義ファイルを例示する図である。
【図４】  間仕切設置情報記憶部に記憶される間仕切変更前および変更後の間仕切設置情報を例示する図である。
【図５】  定義ファイル記憶部に記憶される間仕切変更前および変更後の監視対象定義ファイルを例示する図である。
【図６】  ディスプレイに表示される１階フロアの間仕切変更前および変更後のレイアウトを示す図である。
【図７】  他のパターンの間仕切変更に際して変更される監視対象定義ファイルを例示する図である。
【図８】  増改築情報の定義により増改築形状を表示するようにした例を説明する図である。
【図９】  従来の１階フロアにおける間仕切変更前および変更後の間仕切設置状況を示す平面図である。
【図１０】  間仕切変更に伴う従来の各部屋（仕切領域）に対する監視対象の定義方法を説明する図である。
【符号の説明】
１…１階フロア、２（２−１，２−２）…間仕切、３（３−１〜３−６）…カードリーダ（カードリーダ▲１▼〜▲６▼）、４（４−１〜４−６）…電気錠（電気錠▲１▼〜▲６▼）、５（５−１〜５−６）…侵入センサ（侵入センサ▲１▼〜▲６▼）、Ｐ１〜Ｐ６…間仕切設置可能場所、＃１〜＃６…仕切領域（最小区画領域）、Ｈ１〜Ｈ４…仕切領域（部屋▲１▼〜▲４▼）、Ｓ１〜Ｓ６…センサ、Ａ，Ｂ…表示シンボル（第１の表示シンボル，第２の表示シンボル）、Ｆ１…表示シンボル定義ファイル、Ｆ２…監視対象定義ファイル、１０…中央監視装置、１０−１…制御部、１０−２…メモリ、１０−３…データ処理部、１０−４…表示部（ディスプレイ）、１０−５…間仕切設置情報記憶部、１０−６…定義ファイル記憶部、１０−７…通信制御部。
【図１】
0003872668.tif 000002
【図２】
0003872668.tif 000003
【図３】
0003872668.tif 000004
【図４】
0003872668.tif 000005
【図５】
0003872668.tif 000006
【図６】
0003872668.tif 000007
【図７】
0003872668.tif 000008
【図８】
0003872668.tif 000009
【図９】
0003872668.tif 000010
【図１０】
0003872668.tif 000011